(57)【要約】      （修正有）【課題】ゴミ回収筒内に流入される吸入空気を多数の方向に均一分散させて吸入空気に含まれるゴミの分離効率を増加させるため真空掃除機の集塵装置を提供することにある。【解決手段】真空掃除機の集塵装置は、真空掃除機の本体に取り付けられ外部から吸引された吸入空気を遠心分離することにより前記吸入空気からのゴミを分離する真空掃除機の集塵装置において、前記ゴミを回収するゴミ回収筒１００と、前記ゴミ回収筒１００に挿入されたサイクロン部２００と、を含み、前記サイクロン部２００はサイクロン部２００の中央を介して吸入空気を垂直上方向にガイドした後ゴミ回収筒１００の内側接線方向に向って多数の方向へ同時に前記ゴミ回収筒１００に流入させてゴミの遠心分離を行ったあと中央側に沿って排出する。【選択図】図１
2007117713.tif 000002
【特許請求の範囲】
【請求項１】
真空掃除機の本体に取り付けられ外部から吸引された吸入空気を遠心分離することにより前記吸入空気からのゴミを分離する真空掃除機の集塵装置において、
前記ゴミを回収するゴミ回収筒と、
前記ゴミ回収筒に挿入されたサイクロン部と、を含み、
前記サイクロン部はサイクロン部の中央を介して吸入空気を垂直上方向にガイドした後ゴミ回収筒の内側接線方向に向って多数の方向へ同時に前記ゴミ回収筒に流入させてゴミの遠心分離を行ったあと中央側に沿って排出することを特徴とする真空掃除機の集塵装置。
【請求項２】
前記サイクロン部は、
前記ゴミ回収筒の下部を垂直に貫通し、前記真空掃除機の吸入ノズルを介して吸引された吸入空気を下部から上部にガイドする吸入通路と、
前記吸入通路に沿って移動した吸入空気をゴミ回収筒内にガイドするよう前記吸入通路の上側に配置された多数の流入口と、
前記多数の流入口から排出されゴミと分離された空気を流入し、ゴミの排出を防止するために前記吸入通路を取り囲むよう配置されたグリル部と、
前記グリル部と連通されグリル部を通過した空気を真空源にガイドする排気通路とを含むことを特徴とする請求項１に記載の真空掃除機の集塵装置。
【請求項３】
前記多数の流入口は前記吸入通路の中心を基準にして同一角度で配列されていることを特徴とする請求項２に記載の真空掃除機の集塵装置。
【請求項４】
前記サイクロン部は多数の流入口の先端からそれぞれ螺旋方向に延長形成された多数の案内ガイドを更に含むことを特徴とする請求項２または３に記載の真空掃除機の集塵装置。
【請求項５】
前記多数の案内ガイドはそれぞれ流入口の一方から他方に向って下向き斜めに配置されることを特徴とする請求項４に記載の真空掃除機の集塵装置。
【請求項６】
前記ゴミ回収筒に回収されたゴミの再飛散を防止するよう、前記グリル部下端の周りに沿って結合された再飛散防止スカートを更に含むことを特徴とする請求項１に記載の真空掃除機の集塵装置。
【発明の詳細な説明】
【技術分野】
【０００１】
本発明は、真空掃除機に関し、詳細には外部から吸引された吸入空気からゴミを分離させてから収容する、真空掃除機の集塵装置に関する。
【背景技術】
【０００２】
一般に真空掃除機は、被掃除面のゴミを回りの空気と共に吸引した後あと吸入空気からゴミを分離することによって被掃除面の掃除を行う装置である。係る真空掃除機は前記吸入空気からゴミを分離した後回収する集塵装置を含んでいる。
【０００３】
最近には係る集塵装置として、吸引された外部空気からゴミを遠心分離するサイクロン集塵装置が開発されている。このようなサイクロン集塵装置は既存のダストバックとは相違して永久的な使用ができ、清潔に使用することができることから、最近になって更に使用されている。
【０００４】
従来のサイクロン集塵装置が国際特許公開ＷＯ  ０１／７１６８号、およびカナダ特許公開ＣＡ２３３０８０１に掲載されている。従来のサイクロン集塵装置は掃除機本体に設けられ、吸入ノズルおよび吸入管に沿って外部空気をゴミ回収筒内に流入することによって、遠心力によりゴミと分離させてから排出管および真空モータなどを経て掃除機外部に排出する構造を有している。
【０００５】
係る従来の集塵装置は吸入管に流入される吸入空気に遠心力を与えるために吸入管の上端に延長形成された単一の流入管は所定の曲率でゴミ回収筒の内壁面に向うよう形成されている。
【０００６】
ところで、前記吸入管に沿って垂直に上向き方向へ流入される吸入空気の気流は、流入管の内壁とぶつかりながら進行方向が急激に曲げられた後、単一の流入管を介してゴミ回収筒に流入されると同時に、ゴミ回収筒の内壁に衝突することによって大きい圧力損失が発生してしまう。係る圧力損失は、吸入管から素早く流入される吸入空気が単一の流入穴を介して流入方向が一ヶ所に集中されることによって生じた現象であって、単一の流入穴を有する従来技術においてこのような圧力損失の低下を防止することは難しい。
【０００７】
また、単一の流入穴を介して排出されるゴミは均一に分散されず、持続的に一方向へのみ流入されるので、ゴミ回収筒の円周方向に沿って均一にゴミを分散させることが困難であり、全体的なゴミの分離効率を低下させる問題を抱えている。
【発明の開示】
【発明が解決しようとする課題】
【０００８】
本発明は前述した問題点を解決するために案出されたもので、本発明の目的は、ゴミ回収筒内に吸入空気が流入された場合、ゴミ回収筒内で発生する圧力損失が減らし得る真空掃除機の集塵装置を提供することにある。
【０００９】
また、本発明の他の目的は、ゴミ回収筒内に流入される吸入空気を多数の方向に均一分散させて吸入空気に含まれたゴミの分離効率を増加させるため真空掃除機の集塵装置を提供することにある。
【課題を解決するための手段】
【００１０】
前述の目的を達成するために、本発明は真空掃除機の本体に取り付けられ外部から吸引された吸入空気を遠心分離することにより前記吸入空気からのゴミを分離する真空掃除機の集塵装置において、前記ゴミを回収するゴミ回収筒と、前記ゴミ回収筒に挿入されたサイクロン部と、を含み、前記サイクロン部はサイクロン部の中央を介して吸入空気を垂直上方向にガイドした後ゴミ回収筒の内側接線方向に向って多数の方向へ同時に前記ゴミ回収筒に流入させてゴミの遠心分離を行ったあと中央側に沿って排出することを特徴とする真空掃除機の集塵装置を提供する。
【００１１】
前記サイクロン部は、前記ゴミ回収筒の下部を垂直に貫通し、前記真空掃除機の吸入ノズルを介して吸引された吸入空気を下部から上部にガイドする吸入通路と、前記吸入通路に沿って移動した吸入空気をゴミ回収筒内にガイドするよう前記吸入通路の上側に配置された多数の流入口と、前記多数の流入口から排出されゴミと分離された空気を流入し、ゴミの排出を防止するために前記吸入通路を取り囲むよう配置されたグリル部と、前記グリル部と連通されグリル部を通過した空気を真空源にガイドする排気通路とを含むことができる。
【００１２】
前記多数の流入口は前記吸入通路の中心を基準にして同一角度で配列されていることが好ましい。
【００１３】
前記サイクロン部は多数の流入口の先端からそれぞれ螺旋方向に延長形成された多数の案内ガイドを更に含むことが好ましく、この場合、前記多数の案内ガイドはそれぞれ流入口の一方から他方に向って下向き斜めに配置されることで吸入空気の旋回方向をゴミ回収筒の下側に進行するようガイドすることによってゴミをゴミ回収筒の下部にガイドすることができる。
【００１４】
また本発明は、前記ゴミ回収筒に回収されたゴミの再飛散を防止するよう、前記グリル部下端の周りに沿って結合された再飛散防止スカートを更に含むことが好ましい。
【発明の効果】
【００１５】
本発明によると、多数の流入穴から吸入された空気をゴミ回収筒内に流入させることによってゴミ回収筒内で発生する圧力損失を減らすことで吸入効率の向上を図ることができる。
【００１６】
また、ゴミ回収筒内に流入されるゴミをいくつの方向に分散させてゴミの分離を促すことができる。
【００１７】
さらに、従来の単一流入口を有する集塵装置に比べて体感流速ノイズを減らすことができる。
【発明を実施するための最良の形態】
【００１８】
以下、添付の図面に基づいて本発明の好適な実施形態を詳述する。
【実施例】
【００１９】
図１に示すように、本発明に係る集塵装置は、ゴミ回収筒１００と、ゴミ回収筒１００の内側に着脱自在に挿入されるサイクロン部２００とを含む。
【００２０】
ゴミ回収筒１００はサイクロン２００から流入される吸入空気がゴミ回収筒１００内で円滑に回転できるよう、円筒状であることが好ましい。
【００２１】
サイクロン部２００は真空源（図示せず）により外部から吸引された空気に遠心力を与えて、ゴミ回収筒１００内にて吸入空気からゴミを分離させる。
【００２２】
サイクロン部２００はその中央にゴミ回収筒１００の底面を貫通し垂直に配置された吸入通路２１０を含み、該吸入通路２１０は下端が吸入ノズル（図示せず）と直接に連通されるか、吸入ノズルと連通されたフレキシブルホス（図示せず）に連結されて吸入空気を上方向にガイドする。
【００２３】
また、吸入通路２１０の上端には吸入通路２１０に沿って上方向にガイドされた吸入空気をゴミ回収筒１００内に流入させるために、吸入通路２１０について直角方向に２つの流入口２２１、２２２（図２参照）が対向形成される。
【００２４】
流入口２２１、２２２に流入された吸入空気からゴミが分離されるよう、遠心力を与えるための案内ガイド２３１、２３２は、２つの流入口２２１、２２２の先端から螺旋方向にそれぞれ延長形成されている。２つの流入口２２１、２２２を介してゴミ回収筒１００へ同時に流入される吸入空気は案内ガイド２３１、２３２によってゴミ回収筒１００の接線方向に沿って均一した回転速度で流入される。
【００２５】
このとき、本発明は従来における流入口が１つである場合に比べて、流入される吸入空気の流入方向を２ヶ所に分散することによって、流入される吸入空気の圧力を分散し、ゴミ回収筒１００へ流入される吸入気流がゴミ回収筒１００の内壁と衝突することで発生する圧力損失を低減することができる。
【００２６】
さらに、吸入空気が同時に２方向に向ってゴミ回収筒１００へ流入されることによって、１つの流入口に比べて吸入空気に含まれた空気が同時に２方向に向ってゴミ回収筒１００内に流入されることにより、ゴミが分散されゴミの分離効率が向上される。
【００２７】
本実施の形態では前記流入口が２つであることについて説明したが、それに限定されず、２つ以上の場合、吸入通路２１０の中心を基準にして互いに同一角度で配列されることが好ましい。このように2つ以上の流入穴からなっている場合、ゴミの分散効率を増進させると共に、ゴミ回収筒内の圧力損失も更に低減させることができる。
【００２８】
一方、案内ガイド２２１、２２２の下側にはゴミと分離された空気をフィルタリングするグリル部２４０が形成されている。グリル部２４０は、内側に吸入通路２１０の外周面との間に、後述する１対の排気通路２５１、２５２と連通する空間部２４１（図２参照）を有する。グリル部２４０を通過した空気は空間部２４１を経て排気通路２５１、２５２から排出される。
【００２９】
グリル部２４０の下端にはその周りに沿って所定の幅を有するスカート２６０が着脱自在に結合されている。スカート２６０はゴミ回収筒１００の内周面より小さい外径を有し、ゴミ回収筒１００の下部に回収されたゴミが上方向に再飛散されてグリル部２４０から排出されることを抑える。
【００３０】
次に、このように構成された本発明の一実施の形態に係る真空掃除機の集塵装置の作用および効果について説明する。
【００３１】
まず、真空源（図示せず）により被掃除面のゴミが空気と共に吸入通路２１０に流入されれば、図２に示すように、吸入空気は吸入通路２１０に沿って上方向に移動される。吸入通路２１０の上端に至った吸入空気は両側に対向して形成された流入口２２１、２２２を介してそれぞれＡ、Ｂ方向に沿ってゴミ回収筒１００（図１参照）に流入される。
【００３２】
ゴミ回収筒１００へ流入された吸入空気は、案内ガイド２３１、２３２により螺旋方向に回転しながら遠心力により旋回する。なお、吸入空気はゴミ回収筒１００内で均一の旋回力を維持した状態で回転しながらゴミと遠心分離される。
【００３３】
この場合、吸入空気が持続的に均一の回転速度を維持することによって、ゴミがグリル部２４０側に浮遊したりグリル部２４０を介して排気通路２５１に吸入されることを前もって防止できる。
【００３４】
一方、吸入空気と分離されたゴミはゴミ回収筒１００の内壁に沿ってスカート２６０の外周端とゴミ回収筒１００との間を介してゴミ回収筒１００の下側に落下する。回収されたゴミはスカート２６０により再飛散が抑えられる。
【００３５】
また、ゴミと分離された空気は、図２に示すように、グリル部２４０を介して排気通路２５１、２５２に流入された後、吸入通路２１０の外周面に沿って上昇しＣ方向に沿って排気通路２５１、２５２から抜け出る。
【００３６】
排気通路２５１、２５２から排出された空気はフィルタ（図示せず）および真空源（例えば、真空モータなど）を経て掃除機外部に排出されたり、微細ゴミなどを除去するため別の２次あるいは３次サイクロン（図示せず）に移動して構成することも可能である。
【００３７】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００３８】
【図１】本発明の一実施の形態に係る真空掃除機のサイクロン部を示す斜視図である。
【図２】図１に示すサイクロン部を示す縦断面図である。
【符号の説明】
【００３９】
１００            ゴミ回収筒
２００            サイクロン部
２１０            吸入通路
２２１、２２２    流入口
２３１、２３２    案内ガイド
２４０            グリル部
２５１、２５２    排気通路
２６０            スカート
【図１】
2007117713.tif 000003
【図２】
2007117713.tif 000004